(57)【要約】      （修正有）【課題】本体を軽量化しつつ強度を確保した墜落制止用器具のフックを提供する。【解決手段】墜落制止用器具のフックは、鉤状のフック本体１と、フック本体の鉤口を開閉する開閉体とからなる。フック本体は、先端部２と、先端部の基端側で湾曲する湾曲部４と、湾曲部の基端側の接続部５と、接続部の基端側であって開閉体を支持する基端部６とからなる。湾曲部を除くフック本体に肉抜き部１１、１２ａ、１２ｂ、１３ａ、１３ｂを設ける。捻じれを生じる湾曲部を避けて肉抜き部を形成することで、軽量化を実現しつつ、フックに過剰な力が掛った場合においてもフックが破断しない引っ張り強度を確保することができる。【選択図】図１
0003218935.tif 000002
【実用新案登録請求の範囲】
【請求項１】
鉤状のフック本体と、フック本体の鉤口を開閉する開閉体とからなり、
前記フック本体は、先端部と、該先端部の基端側で湾曲する湾曲部と、該湾曲部の基端側の接続部と、該接続部の基端側であって前記開閉体を支持する基端部とからなり、
前記湾曲部を除くフック本体に肉抜き部を設けることを特徴とする墜落制止用器具のフック。
【請求項２】
フック本体の湾曲部は、斜め後方に凸となる湾曲を形成するとともに、前記凸の頂点から接続部の先端側となる先端接続部にかけて幅を漸次的に狭く形成したものであって、
肉抜き部は、先端部と、接続部の基端側である基端接続部と、基端部とに形成されることを特徴とする請求項1に記載の墜落制止用器具のフック。
【請求項３】
肉抜き部は、フック本体を貫通する開口肉抜き部と、前記フック本体の縁から抉り形成した抉り肉抜き部とからなり、
抉り肉抜き部は、開閉体に覆われた基端部に形成したことを特徴とする請求項１または２のいずれかに記載の墜落制止用器具のフック。
【請求項４】
開閉体は、前後方向に回動してフック本体の先端部に係合した状態から開閉する開閉レバーと、前後方向に回動して前記開閉レバーの開閉を規制する補助レバーとからなり、
前記開閉レバーの内側に形成された抉り肉抜き部は、抉り肉抜き部の抉り縁と前記開閉レバーの内面とを掛け渡す弾性体を配置し、
前記補助レバーの内側に形成された抉り肉抜き部は、抉り肉抜き部の抉り縁と前記補助レバーの内面とを掛け渡す弾性体を配置したことを特徴とする請求項３に記載の墜落制止用器具のフック。
【考案の詳細な説明】
【技術分野】
【０００１】
本考案は、建設現場などの高所で作業を行う作業者が使用する墜落制止用器具に取り付け、高所に設けた係留部に引っ掛けて墜落を防止するフックに関する考案である。
【背景技術】
【０００２】
高所で用いるため、その移動や使用の利便性から軽量化した墜落制止用器具用フックは従来から提案されている。特許文献１のフックは、フック本体、ゲートアーム及びロックアームの少なくとも一つを鍛造用のアルミ合金にて構成し、湾曲領域に凹部を形成することで軽量化している。
【先行技術文献】
【特許文献】
【０００３】
【特許文献１】特開２０１０−２８４２７９号公報
【考案の概要】
【考案が解決しようとする課題】
【０００４】
特許文献１に記載のフックはアルミ合金としたことで、同じ形状の鋼材からなるフックよりも強度が低くなりやすい。また、湾曲領域に凹部を形成したため、湾曲領域の強度が高くない。
【０００５】
本考案者は、一本つり専用の墜落制止用器具のＪＩＳ規格８１６５（２０１２）の引張試験において、係留部に対して直交する本体が斜めに傾くことで、本体の係留部に当接した湾曲部（湾曲領域）に捻じれ（破損）を生じるが、基端部や先端部に捻じれを生じないことを発見した。
【０００６】
そこで、本体を軽量化しつつその引っ張り強度を確保した墜落制止用器具のフックが望まれていた。
【課題を解決するための手段】
【０００７】
本考案の墜落制止用器具のフックは、上記課題に鑑み、鉤状のフック本体と、フック本体の鉤口を開閉する開閉体とからなり、前記フック本体は、先端部と、該先端部の基端側で湾曲する湾曲部と、該湾曲部の基端側の接続部と、該接続部の基端側であって前記開閉体を支持する基端部とからなり、前記湾曲部を除くフック本体に肉抜き部を設けることを特徴とする。
【０００８】
また、フック本体の湾曲部は、斜め後方に凸となる湾曲を形成するとともに、前記凸の頂点から接続部の先端側となる先端接続部にかけて幅を漸次的に狭く形成したものであって、肉抜き部は、先端部と、接続部の基端側である基端接続部と、基端部とに形成されることが好ましい。
【０００９】
また、肉抜き部は、フック本体を貫通する開口肉抜き部と、前記フック本体の縁から抉り形成した抉り肉抜き部とからなり、抉り肉抜き部は、開閉体に覆われた基端部に形成したことが好ましい。
【００１０】
また、開閉体は、前後方向に回動してフック本体の先端部に係合した状態から開閉する開閉レバーと、前後方向に回動して前記開閉レバーの開閉を規制する補助レバーとからなり、前記開閉レバーの内側に形成された抉り肉抜き部は、抉り肉抜き部の抉り縁と前記開閉レバーの内面とを掛け渡す弾性体を配置し、前記補助レバーの内側に形成された抉り肉抜き部は、抉り肉抜き部の抉り縁と前記補助レバーの内面とを掛け渡す弾性体を配置したことが好ましい。
【考案の効果】
【００１１】
請求項１記載の考案、捻じれを生じる湾曲部を避けて肉抜き部を形成することで、肉抜きによる軽量化を実現しつつ、フックに過剰な力が掛った場合においてもフックが破断しない引っ張り強度を確保することができる。
【００１２】
請求項２記載の考案は、フックに過剰な力が掛った場合においても、湾曲部のみならず先端接続部にも肉抜き部を形成せずに、これよりも基端側に肉抜き部を形成することで、フックが破断しない引っ張り強度を確保するとともに、フックが捻り変形することを防止することができる。
【００１３】
請求項３記載の考案により、肉抜き部に開口肉抜き部と抉り肉抜き部とを有することにより、よりフックの軽量化を実現できる。
【００１４】
請求項４記載の考案により、基端部の抉り肉抜き部を利用して開閉体を規制する弾性体を配置することができ、より省スペースとなるものであって、重量の軽減化を実現することができる。
【図面の簡単な説明】
【００１５】
【図１】本考案の実施形態に係る墜落制止用器具のフックの斜視図である。
【図２】開閉体をフック本体の表面に沿って切断した状態を示す概略断面図である。
【図３】フックの平面図であって、図１の状態から補助レバーを回動した状態を示す。
【図４】フックの平面図であって、図３の状態から開閉レバーを回動した状態を示す。
【図５】第２の実施形態のフックの平面図である。
【考案を実施するための形態】
【００１６】
本考案の実施形態について、図面に基づいて詳細に説明する。本実施形態の墜落制止用器具は一本つり専用としている。墜落制止用器具のフックは、図１に示すように、鉤状のフック本体１と、回動によりフック本体１の鉤口を開閉する開閉体である開閉レバー２１と、開閉レバー２１の回動を規制する開閉体である補助レバー３１とからなる。本説明において、図２の左側を前方、右側を後方として説明する。また、フック本体１においては先端部２がある側を先端とし、フック本体１の湾曲形状に沿って連結部７がある側を基端側として説明する。なお、本説明において縁とは平面視における外形線を示すものであるが、抉り縁等の説明においてはその側面（板厚面）も含むものとして記載している。
【００１７】
フック本体１は、図１及び図２に示すように、全体的には外方に凸を有する鉤状の形態であるが、墜落防止用器具に用いるフックは湾曲部４が若干後方へ曲がった略Ｕ字形状としている。フック本体１は、最も先端側で開閉レバー２１（図１参照）に係合するツメ２ａと、ツメ２ａの基端側から後方に曲がって直線状とした直線部分３とからなる先端部２と、先端部２の基端側（後方）から連続して円弧状に湾曲する湾曲部４と、湾曲部４の基端側から連続する接続部５と、接続部５の基端側にある基端部６と、基端部６の最も基端側に位置する連結部７とからなる。フック本体１は、鋼板などにより一体的に成型された板状部材からなり、板厚をほぼ一定としている。
【００１８】
図１、２に示すように、先端部２は、先端に向けて先細り状になるツメ２ａとツメ２ａの基端側の直線部分３とからなるものであって、ツメ２ａの後方縁が開閉レバー２１と当接する。ツメ２ａと直線部分３との間には、先端部２を後方から前方にかけて切り欠いた抉り部分を有し、開閉レバー２１と係合し易くしている。
【００１９】
直線部分３は、湾曲部４の先端側まで連続して形成される直線状の部位である。長手方向と直交する方向である直線部分３の幅は、湾曲部４から先端部２にかけて、先細り状になるように形成されている。なお、直線部３は厳密に直線状になる必要はなく、例えば緩やかな湾曲を伴っている形状でも良い。
【００２０】
湾曲部４は、直線部分３の基端側から連続して、後方に凸を形成するような円弧形状としたものである。湾曲部４は、先端側である直線部分３側から幅を漸次的に広げて、基端側の接続部５との接続位置付近の幅を最も大きくしている。
【００２１】
接続部５は、湾曲部４の基端側から連続して形成され、前方に凸を形成するように曲がった形態であり、湾曲部４に比して小さく緩やかな曲がりを形成した部位である。接続部５は、湾曲部４の凸の頂点から基端側にかけて漸次的であり、徐々に幅が狭くなっている。この幅が狭くなっているのは接続部５の中間付近にまで至り、この部分を先端接続部５ａ、その後は基端部６に至るまで略同幅に形成されている基端接続部５ｂに分けられる。
【００２２】
図２に示すように、先端部２のツメ２ａと直線部分３との間に架空の境界線Ｚ１、直線部分３と湾曲部４との間に架空の境界線Ｚ２、湾曲部４と接続部５との間に架空の境界線Ｚ３、接続部５と基端部６との間に架空の境界線Ｚ４を示している。また、前述した接続部５のうち幅が狭くなる部分（先端接続部５ａ）と同幅になる部分（基端接続部５ｂ）との間に架空の境界線Ｚ５を示している。
【００２３】
基端部６は、その最も基端側の位置にロープ等を連結する貫通穴からなる連結部７を有する。この連結部７のすぐ上方の前方（先端部２側）に、開閉レバー２１を回動自在で支持する開閉レバー軸孔８ａを有し、基端部６と接続部５との境界線Ｚ４の基端側に補助レバー３１を回動自在で支持する補助レバー軸孔８ｂを有している。
【００２４】
図１、２に示すように、基端部６の開閉レバー軸孔８ａに軸心９ａを取り付け、開閉レバー２１を前後方向（矢印線Ａ方向）に回動自在に配置する。開閉レバー２１は、開閉レバー本体２２と、この開閉レバー本体２２から伸びたアーム２３と、アーム２３の先端に凹所を有する受け部２４とからなる。開閉レバー２１を閉じた状態では受け部２４をフック本体１の先端部２に係合し、開閉レバー２１を開けた状態では受け部２４とフック本体１の先端部２の係合が解除される。
【００２５】
基端部６の補助レバー軸孔８ｂに軸心９ｂを取り付け、補助レバー３１を前後方向（矢印線Ｂ方向）に回動自在に配置する。補助レバー３１は、軸心９ｂが比較的上方に位置し、下方の把持部３２を使用者が握ることで、把持部３２が前後方向に回動する。補助レバー３１は、把持部３２の前側に短いアーム３３が形成される。
【００２６】
開閉レバー本体２２には、貫通孔からなるガイド２５が形成されている。ガイド２５は、開閉レバー２１の矢印線Ａ方向の回動方向に沿った開閉ガイド２５ａと、この開閉ガイド２５ａの後方から補助レバー３１の矢印線Ｂ方向の回動方向に対応する方向に折曲した補助レバーガイド２５ｂとからなる（図３、４参照）。
【００２７】
開閉レバー２１と補助レバー３１とは通し軸３４によりガイド２５に通しながら連結されている。これは、補助レバー３１の把持部３２のアーム３３の先端に通し軸３４が配置され、開閉レバー２１を閉じた状態ではこの通し軸３４を開閉レバー２１のガイド２５のうち補助レバーガイド２５ｂの基端側の位置に通すことにより連結されている。
【００２８】
次に、図１、２、３、４に示すように、開閉レバー２１と補助レバー３１による開閉について説明する。本実施形態の開閉レバー２１と補助レバー３１により使用者が補助レバー３１を握らなければ、開閉レバー２１が回動しないようにしている。つまり、図１、２に示すように、通常状態ではフック本体１の先端部２が開閉レバー２１の受け部２４と係合して、フックが閉じた状態となっている。
【００２９】
次に、図３に示すように、補助レバー３１を使用者が握ることで矢印線Ｂ方向に回動し、通し軸３４が補助レバーガイド２５ｂに沿って上方に移動し、通し軸３４が開閉ガイド２５ａにガイドされる状態となる。さらに図４に示すように、補助レバー３１を回動した状態で、開閉レバー２１を使用者が握ることで矢印線Ａ方向に回動して、フックが開いた状態となる。つまり、使用者が補助レバー３１を握らない状態では補助レバーガイド２５ｂの前側の壁が開閉レバー２１の回動を防いでおり、補助レバー３１を握って回動させなければ開閉レバー２１が回動しないようにしている。
【００３０】
次に、フック本体１に配置される肉抜き部について説明する。図２に示すように、肉抜き部は、フック本体１を表面から裏面にかけて貫通した孔として形成する複数の開口肉抜き部１１、１２ａ、１２ｂ、１３ａ、１３ｂと、主に基端部６に形成されるフック本体１の縁から抉って形成した複数の抉り肉抜き部１５、１６、１７からなる。なお、本実施形態の肉抜き部は複数設けているが、１つのものであってもよい。また、他の実施形態として、開口肉抜き部は貫通孔ではなく、フック本体１の表面及び裏面から凹ませた凹所であってもよい。
【００３１】
フック本体１には、先端部２を形成する直線部分３に第１の開口肉抜き部１１、接続部５の基端接続部５ｂに第２の開口肉抜き部１２ａ、１２ｂ、１２ｂ、基端部６に第３の開口肉抜き部１３ａ、１３ｂが形成される。
【００３２】
第１の開口肉抜き部１１は、直線部分３と湾曲部４との境界線Ｚ２よりも先端側に略楕円形状に形成される。第１の開口肉抜き部１１の長手方向長さは、直線部分３の長手方向長さの約半分程度の長さであり、後述する第２の開口肉抜き部１２の上端から第３の開口肉抜き部１３の下端までの長さと同程度の長さを有している。また、他の実施形態として、図５に示すように、第１の開口肉抜き部１１を、基端側の開口肉抜き部１１ａと先端側の開口肉抜き部１１ｂの２つに設けてもよい。
【００３３】
第２の開口肉抜き部１２ａは、接続部５に形成されるものであって、前述した接続部５の幅が狭まる部分と同幅の部分との境界線Ｚ５から基端側となる基端接続部５ｂに、角を丸めた三角形状で形成される。さらに、この三角形状の開口肉抜き部１２ａの基端側にそれぞれ角を丸めた大きさ、形状の異なる四角形状の第２の開口肉抜き部１２ｂ、１２ｂが２つ連続して開口されている。また、他の実施形態として、図５に示すように、基端接続部５ｂに、角を丸めた四角形状の開口肉抜き部１２ａを設け、開口肉抜き部１２ａの基端側に、上辺を円形とした略四角形状の開口肉抜き部１２ｂを１つ設けてもよい。
【００３４】
第３の開口肉抜き部は、基端部６に形成されるものであって、基端部６の先端側に位置する楕円形状の開口肉抜き部１３ａと、この基端側にある略三角形状の開口肉抜き部１３ｂが配置される。
【００３５】
基端部６の楕円形状の開口肉抜き部１３ａは、直線部分３の楕円形状の開口肉抜き部１１とは長手方向長さや先細りの方向が異なる。基端部６の三角形状の開口肉抜き部１３ｂは、接続部５の開口肉抜き部１２ａとは斜辺の傾きや大きさが異なる。また、他の実施形態として、図５に示すように、長手方向長さを延ばして略三角形状の開口肉抜き部１３ｂの１つを設けてもよい。
【００３６】
上記に説明した通り、開口肉抜き部１１、１２ａ、１２ｂ、１２ｂ、１３ａ、１３ｂは各々形状が異なる。これは、貫通孔や凹みによる開口肉抜き部を形成することにより、フック本体１にかかる荷重、曲りに耐える必要性が生じるところ、各々の開口肉抜き部１１、１２ａ、１２ｂ、１２ｂ、１３ａ、１３ｂの形態、形状が異ならせることで、その荷重を分散させることができる。
【００３７】
本実施形態の開口肉抜き部は上記形状であるが、この形状に限定するものではない。その他の台形形状や平行四辺形状などでもよく、単に複数並列されたスリットのような形態であってもよい。
【００３８】
これに加え、開口肉抜き部１１、１２ａ、１２ｂは、直線部分３と湾曲部４との境界線Ｚ２よりも先端側と、接続部５の基端側であって幅が狭まる部分と同幅の部分との境界線Ｚ５よりも基端側に形成することが好ましい。
【００３９】
これは、貫通孔や凹みによる開口肉抜き部を形成することにより、フック本体１にかかる荷重、曲りに耐える必要性が生じるところ、当該フックにおける荷重は、境界線Ｚ２から境界線Ｚ３までの湾曲部４のみならず境界線Ｚ３から境界線Ｚ５の部分にもかかる可能性があることから、これら以外の位置に開口肉抜き部を形成することが好ましい。
【００４０】
次に、肉抜き部のうち抉り肉抜き部１５、１６、１７について説明する。抉り肉抜き部１５、１６は基端部６に形成され、基端部６の側縁から中央側に抉った部分として形成される。
【００４１】
第１の抉り肉抜き部１５、１６は、基端部６の後方側縁に形成され、１つの抉り肉抜き部１５は基端部６の先端側にあって、楕円形の第３の開口肉抜き部１３ａの後方（側方）に形成される。また、その抉り肉抜き部１５の基端側であって、三角形状の第３の開口肉抜き部１３ｂの後方にも抉り肉抜き部１６が形成される。
【００４２】
この基端側にある抉り肉抜き部１６は、抉った部分の後方側縁である抉り縁１６ａにツルマキバネからなる弾性体４１の一端を配置し、他端を補助レバー３１の把持部３２の内面の後方側面に配置して掛け渡す。この弾性体４１により、補助レバー３１の把持部３２を使用者が握る前の通常の状態では、補助レバー３１が回動せずに後方に位置するように付勢されている。
【００４３】
また、基端部６の前方側縁を抉る第２の抉り肉抜き部１７は、開閉レバー軸孔８ａの上方（先端部２方向）に位置する。この第２の抉り肉抜き部１７により抉った部分の前方側縁となる抉り縁１７ａと、開閉レバー本体２２の内面である前方側面とに掛け渡して捻りバネからなる弾性体４２を配置している。この弾性体４２により、開閉レバー本体２２を使用者が握る前の通常の状態では、開閉レバー２１が回動せず、前方で先端部２と係合するように付勢している。
【００４４】
このように、抉り肉抜き部により形成された空間を利用して弾性体からなるバネを配置することで、フック本体１の重量の軽減化を実現するとともに、弾性体による付勢力をつけるスペースを確保して省スペース化を実現することが可能になる。
【符号の説明】
【００４５】
１…フック本体、２…先端部、４…湾曲部、５…接続部、５ａ…先端接続部、５ｂ…基端接続部、６…基端部、１１、１２ａ、１２ｂ、１３ａ、１３ｂ…開口肉抜き部（肉抜き部）、１５、１６、１７…抉り肉抜き部（肉抜き部）、１６ａ、１７ａ…抉り縁、２１…開閉レバー（開閉体）、３１…補助レバー（開閉体）、４１、４２…弾性体。
【図１】
0003218935.tif 000003
【図２】
0003218935.tif 000004
【図３】
0003218935.tif 000005
【図４】
0003218935.tif 000006
【図５】
0003218935.tif 000007